(57)【要約】【課題】容器内の蒸気により内圧が上昇すると、蓋体は蓋体の周鍔部が係止凸部に係止するまで上昇し、係止凸部により蓋体の飛散を防ぐことができ、この蓋体の上昇により蒸気は蓋体の周鍔部と容器体の載置面部との間隙を経て蒸気抜き凹部を介して外に放出されることになり、容器内を良好に密閉保持することができると共に内圧の上昇時には蒸気抜きを確実に行うことができ、食品や蓋体の飛散を防止することができる。【解決手段】容器体１と蓋体２とからなり、容器体の周縁部内側に上記蓋体の周鍔部を嵌合可能な蓋嵌合部３を設け、蓋嵌合部は上記蓋体の周鍔部を載置可能な載置面部３ａ及び載置面部から蒸気抜き凹部４を除いて立ち上がる立上壁部３ｂからなり、立上壁部と該蓋体の周鍔部端縁とを密接可能に設けると共に該立上壁部に該蓋体の該載置面部からの蒸気による浮上を許容可能な係止凸部３ｃを設けてなる。【選択図】　　　　図１
2004035051.tif 000002
【特許請求の範囲】
【請求項１】
合成樹脂製の容器体と蓋体とからなり、上記容器体の周縁部内側に上記蓋体の周鍔部を嵌合可能な蓋嵌合部を設けてなり、上記蓋嵌合部は上記蓋体の周鍔部を載置可能な載置面部及び該載置面部から蒸気抜き凹部を除いて立ち上がる立上壁部からなり、該立上壁部と該蓋体の周鍔部端縁とを密接可能に設けると共に該立上壁部に該蓋体の該載置面部からの蒸気による浮上を許容可能な係止凸部を設けてなることを特徴とする電子レンジ用食品容器。
【請求項２】
上記容器体の内面に上記載置面部に連通する蒸気導出溝部を設けてなることを特徴とする請求項１記載の電子レンジ用食品容器。
【請求項３】
上記容器体に取手部を設けると共に該取手部の表面に凹凸部を設けてなることを特徴とする請求項１又は２記載の電子レンジ用食品容器。
【発明の詳細な説明】
【０００１】
【発明の属する技術分野】
本発明は例えば食品を電子レンジにより加熱調理する際に用いられる電子レンジ用食品容器に関するものである。
【０００２】
【従来の技術】
従来、この種の電子レンジ用食品容器として、例えば、特開２００１−８０６８２号公報に示す如く、合成樹脂製の容器体と蓋体とからなり、上記容器体の周縁部の外側に蓋体の周鍔部を密接外嵌合すると共に蒸気抜き構造を備えた構造のものが知られている。
【０００３】
【発明が解決しようとする課題】
しかしながら上記従来構造の場合、電子レンジにより食品を加熱すると、発生する蒸気は容器体と蓋体との間隙や蒸気抜き構造により外部に放出されて容器内の圧力の上昇が抑制され、食品や蓋体の飛散が防止されるものの、容器内部の液体が流出し易いことがあり、又、外嵌合構造にあっては製造上、蓋体の樹脂金型成形において離型しにくいことがあると共に外嵌合構造のため放出蒸気により取手部も熱くなって取出しにくいこともあるという不都合をも有している。
【０００４】
【課題を解決するための手段】
本発明はこのような課題を解決することを目的とし、本発明のうちで、請求項１記載の発明は、合成樹脂製の容器体と蓋体とからなり、上記容器体の周縁部内側に上記蓋体の周鍔部を嵌合可能な蓋嵌合部を設けてなり、上記蓋嵌合部は上記蓋体の周鍔部を載置可能な載置面部及び該載置面部から蒸気抜き凹部を除いて立ち上がる立上壁部からなり、該立上壁部と該蓋体の周鍔部端縁とを密接可能に設けると共に該立上壁部に該蓋体の該載置面部からの蒸気による浮上を許容可能な係止凸部を設けてなることを特徴とする電子レンジ用食品容器にある。
【０００５】
又、請求項２記載の発明は、上記容器体の内面に上記載置面部に連通する蒸気導出溝部を設けてなることを特徴とするものであり、又、請求項３記載の発明は、上記容器体に取手部を設けると共に該取手部の表面に凹凸部を設けてなることを特徴とするものである。
【０００６】
【発明の実施の形態】
図１乃至図５は本発明の実施の形態例を示し、１は容器体、２は蓋体であって、この場合、容器体１は厚さ０．４ｍｍ、蓋体２は厚さ０．３ｍｍ程度の薄い合成樹脂シートから熱成形され、この容器体１の周縁部内側に上記蓋体２の周鍔部２ａを嵌合可能な蓋嵌合部３を設け、この容器体１に取手部１ａを一体に成形すると共に取手部１ａの表面に凹凸部１ｃを設けている。
【０００７】
この場合、上記蓋嵌合部３は、図２、図４、図５の如く、上記蓋体２の周鍔部を載置可能な載置面部３ａ及び載置面部３ａからこの場合二カ所の蒸気抜き凹部４を除いて立ち上がる立上壁部３ｂからなり、この場合、立上壁部３ｂにより隆起部３ｄが形成され、かつ、蒸気抜き凹部４には低隆起部３ｅが形成され、この立上壁部３ｂと蓋体２の周鍔部２ａの端縁とを密接可能に設けると共に立上壁部３ｂに蓋体２の載置面部３ａからの蒸気Ｇによる浮上を許容可能とする、載置面部３ａから距離Ｈを置いた位置に蓋体２の周鍔部２ａに係止して蓋体２の飛散を防ぐ係止凸部３ｃを六ヶ所に突設して構成している。
【０００８】
又、この場合、上記容器体１の内面に上記載置面部３ａに連通する内面に凹状で外面に凸状となる、上下に延びる条状の蒸気導出溝部１ｂを一体に成形している。
【０００９】
この実施の形態例は上記構成であるから、合成樹脂製の容器体１に食品を入れ、容器体１に合成樹脂製の蓋体２を被せ、電子レンジにより食品を加熱すると、発生する蒸気は容器体１と蓋体２との間隙等から外部に放出され、この際、容器体１の周縁部内側に合成樹脂製の蓋体２の周鍔部２ａを嵌合可能な蓋嵌合部３を形成しているから、いわゆる蓋体２は容器体１に対して内側に嵌合する内嵌合構造となり、このため、食品や蓋体の外方飛散を抑制することができ、この場合、立上壁部３ｂにより隆起部３ｄが形成され、かつ、蒸気抜き凹部４には低隆起部３ｅが形成されているので、容器体１の全周縁に隆起部３ｄ及び低隆起部３ｅが形成されているので、容器体１内の液体の流出を抑制することができ、かつ、内嵌合構造のため、製造上、蓋体の樹脂金型成形において、離型を容易に行うことができ、それだけ、製造能率を向上することができ、更に、内嵌合構造のため放出蒸気による取手部１ａの加熱を抑制することができ、使用の利便性を高めることができる。
【００１０】
又、この場合、上記蓋嵌合部３は上記蓋体２の周鍔部２ａを載置可能な載置面部３ａ及び載置面部３ａから蒸気抜き凹部４を除いて立ち上がる立上壁部３ｂからなり、立上壁部３ｂと蓋体２の周鍔部２ａ端縁とを密接可能に設けると共に立上壁部３ｂに蓋体２の載置面部３ａからの蒸気Ｇによる浮上を許容可能な係止凸部３ｃを設けているから、容器体１に蓋体２を嵌合すると、立上壁部３ｂと蓋体２の周鍔部２ａ端縁とは密接嵌合するので容器内を密閉保持することができ、それだけ熱調理を良好に行うことができ、かつ、容器内の蒸気により内圧が上昇すると、蓋体２は蓋体２の周鍔部２ａが係止凸部３ｃに係止するまで上昇し、係止凸部３ｃにより蓋体１の飛散を防ぐことができ、この蓋体２の上昇により蒸気Ｇは蓋体２の周鍔部２ａと容器体１の載置面部３ａとの距離Ｈの間隙を経て蒸気抜き凹部４を介して外に放出されることになり、このため、容器内を良好に密閉保持することができると共に内圧の上昇時には蒸気抜きを確実に行うことができ、食品や蓋体の飛散を防止することができる。
【００１１】
又、この場合、上記容器体１の内面に上記載置面部３ａに連通する蒸気導出溝部１ｂを設けているから、蒸気Ｇは蒸気導出溝部１ｂを介して蓋体２の周鍔部２ａと容器体１の載置面部３ａとの間隙に良好に導出され、それだけ蒸気抜きを良好に行うことができる。
【００１２】
又、この場合、上記容器体１と蓋体２とは合成樹脂シートから熱成形されるので、低コストで容易に量産することができ、又、この場合、上記容器体１に取手部１ａを設けると共に取手部１ａの表面に凹凸部１ｃを設けてなるから、上記内嵌合構造も相まって、放出蒸気による取手部１ａの加熱を抑制することができると共に凹凸部１ｃにより取手部１ａの表面積を大きくすることができ、取手部１ａの昇温を抑制することができ、使用の利便性を高めることができる。
【００１３】
尚、本発明は上記実施の形態例に限られるものではなく、容器体１、蓋体２、蓋嵌合部３、蒸気抜き凹部４の形態や構造、数、材質等は適宜変更して設計される。
【００１４】
【発明の効果】
本発明は上述の如く、請求項１記載の発明にあっては、合成樹脂製の容器体に食品を入れ、容器体に合成樹脂製の蓋体を被せ、電子レンジにより食品を加熱すると、発生する蒸気は容器体と蓋体との間隙等から外部に放出され、この際、容器体の周縁部内側に合成樹脂製の蓋体の周鍔部を嵌合可能な蓋嵌合部を形成しているから、いわゆる蓋体は容器体に対して内側に嵌合する内嵌合構造となり、このため、食品や蓋体の外方飛散を抑制することができ、内嵌合構造のため、製造上、蓋体の樹脂金型成形において、離型を容易に行うことができ、製造能率を向上することができ、上記蓋嵌合部は上記蓋体の周鍔部を載置可能な載置面部及び載置面部から蒸気抜き凹部を除いて立ち上がる立上壁部からなり、立上壁部と蓋体の周鍔部端縁とを密接可能に設けると共に立上壁部に蓋体の載置面部からの蒸気による浮上を許容可能な係止凸部を設けているから、容器体に蓋体を嵌合すると、立上壁部と蓋体の周鍔部端縁とは密接嵌合するので容器内を密閉保持することができ、それだけ熱調理を良好に行うことができ、かつ、容器内の蒸気により内圧が上昇すると、蓋体は蓋体の周鍔部が係止凸部に係止するまで上昇し、係止凸部により蓋体の飛散を防ぐことができ、この蓋体の上昇により蒸気は蓋体の周鍔部と容器体の載置面部との間隙を経て蒸気抜き凹部を介して外に放出されることになり、このため、容器内を良好に密閉保持することができると共に内圧の上昇時には蒸気抜きを確実に行うことができ、食品や蓋体の飛散を防止することができる。
【００１５】
又、請求項２記載の発明にあっては、上記容器体の内面に上記載置面部に連通する蒸気導出溝部を設けているから、蒸気は蒸気導出溝部を介して蓋体の周鍔部と容器体の載置面部との間隙に良好に導出され、それだけ蒸気抜きを良好に行うことができる。
【００１６】
又、請求項３記載の発明にあっては、、上記容器体１に取手部１ａを設けると共に取手部の表面に凹凸部を設けてなるから、上記内嵌合構造も相まって、放出蒸気による取手部の加熱を抑制することができると共に凹凸部により取手部の表面積を大きくすることができ、取手部の昇温を抑制することができ、使用の利便性を高めることができる。
【００１７】
以上、所期の目的を充分達成することができる。
【図面の簡単な説明】
【図１】本発明の実施の形態例の全体斜視図である。
【図２】本発明の実施の形態例の分離斜視図である。
【図３】本発明の実施の形態例の部分切欠平面図である。
【図４】本発明の実施の形態例の部分断面図である。
【図５】本発明の実施の形態例の部分断面図である。
【符号の説明】
Ｇ　蒸気
１　容器体
１ａ　取手部
１ｂ　蒸気導出溝部
１ｃ　凹凸部
２　蓋体
２ａ　周鍔部
３　蓋嵌合部
３ａ　載置面部
３ｂ　立上壁部
３ｃ　係止凸部
４　蒸気抜き凹部
【図１】
2004035051.tif 000003
【図２】
2004035051.tif 000004
【図３】
2004035051.tif 000005
【図４】
2004035051.tif 000006
【図５】
2004035051.tif 000007